(57)【要約】【課題】  直結配線で電源工事がなされる場合であっても、設置工事の際に異電圧電源への誤接続を把握することができる浴室乾燥機を提供すること。【解決手段】  この浴室乾燥機ＤＭは、送風機モータＦＭを駆動することで浴室の暖房及び換気を行う浴室乾燥機であって、送風機モータＦＭを制御する制御部ＣＵを備え、制御部ＣＵは、商用電源ＰＳからの電力供給を検知する電力供給検知部として機能すると共に、浴室乾燥機ＤＭの動作チェックを行う初期チェック実行部として機能し、商用電源ＰＳからの電力供給を検知したことに対応して、電源電圧異常判定を行うためのイニシャルチェックを実行し、その結果、商用電源ＰＳから供給される電圧と浴室乾燥機ＤＭが対応する電圧とが不整合であると判断した場合には、電源電圧異常を報知するための警報を発する。【選択図】図８
2010101586.tif 000002
【特許請求の範囲】
【請求項１】
モータを駆動することで浴室の暖房及び換気を行う浴室乾燥機であって、
前記モータを制御する制御手段を備え、
前記制御手段は、商用電源からの電力供給を検知する電力供給検知部と、前記浴室乾燥機の動作チェックを行う初期チェック実行部と、を有し、
前記初期チェック実行部は、前記電力供給検知部が商用電源からの電力供給を検知したことに対応して、電源電圧異常判定を行うためのイニシャルチェックを実行し、当該イニシャルチェックの実行の結果、商用電源から供給される電圧と前記浴室乾燥機が対応する電圧とが不整合であると判断した場合には、電源電圧異常を報知するための警報を発することを特徴とする浴室乾燥機。
【請求項２】
前記電力供給検知部は、前記浴室乾燥機が商用電源に接続されたことによって、商用電源からの電力供給を検知し、
前記初期チェック実行部は、前記電力供給検知部が商用電源からの電力供給を検知すると前記イニシャルチェックを実行することを特徴とする請求項１に記載の浴室乾燥機。
【請求項３】
前記初期チェック実行部は、前記イニシャルチェックを実行することを報知し、前記イニシャルチェックを実行することを特徴とする請求項２に記載の浴室乾燥機。
【請求項４】
前記制御手段は、前記モータに制御電圧を印加することで前記モータの回転を制御するものであって、
前記制御手段は、前記モータに印加する最小制御電圧と最大制御電圧との間の中間制御電圧に対応する中間デューティ比と、該中間デューティ比に対応させて前記モータの所定の回転数を中間回転数として予め格納しており、
前記初期チェック実行部は前記イニシャルチェックにおいて、前記中間デューティ比で前記モータを制御した場合の回転数が、前記中間回転数以下となった場合に電源電圧異常であると判断することを特徴とする請求項１又は２に記載の浴室乾燥機。
【請求項５】
前記制御手段は、前記中間制御電圧と前記最大制御電圧との間の制御電圧で前記モータの回転を制御することで前記イニシャルチェックを実行することを特徴とする請求項４に記載の浴室乾燥機。
【請求項６】
前記初期チェック実行部は、電源電圧異常との判定を行った後に商用電源からの電力供給が遮断された場合には、当該電源電圧異常との判定結果を解除し、
当該解除の後に、商用電源からの電力供給が再開された場合には前記イニシャルチェックを再度実行することを特徴とする請求項１〜５のいずれか１項に記載の浴室乾燥機。
【発明の詳細な説明】
【技術分野】
【０００１】
本発明は、浴室内の暖房及び換気を行う浴室乾燥機に関する。
【背景技術】
【０００２】
このような浴室乾燥機として、商用電源から供給される電力と、デューティ制御信号とに基づいてファンを回転させるモータの回転数を制御されるものが知られている。日本の家庭用に供給される商用電源の電圧は１００Ｖである場合が多いけれども、比較的大きな消費電力となる電化製品に対応するために２００Ｖの商用電源も供給されている。このような状況に対応するために、浴室乾燥機も１００Ｖ仕様のものと２００Ｖ仕様のものとが品揃えされるケースが増えている。
【０００３】
ところで、２００Ｖ仕様の浴室乾燥機や空調機器を１００Ｖの商用電源に接続すると、浴室乾燥機や空調機器の電気系システムが想定している電源電圧に不足するためモータの回転数が狙いよりも低くなる。そこで、商用電源から供給される電源電圧とモータを使用する空調機器が対応する電圧との不整合、すなわち異電圧電源への誤接続を検出することが提案されている（例えば、下記特許文献１参照）。
【特許文献１】特許第３８０１０６７号公報
【発明の開示】
【発明が解決しようとする課題】
【０００４】
上記特許文献１に記載の従来技術では、モータに入力されているデューティ制御信号とモータの回転数情報とに基づいて、実際に接続されている電源電圧の電圧値を検出するように構成している。より具体的には、上記特許文献１の段落番号００３１〜００３４に記載されているように、空調機器の制御運転中において、デューティ制御部から出力されるデューティ制御情報を取得すると共に、回転数検出部から出力されるモータの現在の回転数を取得する。そして、取得したデューティ制御情報と回転数情報とに基づいて電源電圧を判定し、空調機器が接続されている商用電源の電圧を知るものとしている。
【０００５】
ところで、このような従来の技術では一般の空調機器においては有効な電源電圧判定手法であるけれども、浴室のような環境において設置・使用される浴室乾燥機に適用する場合においては不都合が発生することを本発明者らは見出した。浴室乾燥機は、文字通り浴室に設置されるものであるから、その機器の対応する電源電圧が１００Ｖであっても２００Ｖであっても、コンセントにプラグを差し込んで電源に接続するのではなく、配電盤まで配線を引き回して直結工事を行うものである。従って、設置工事時に設置業者が誤接続してしまうと、プラグを差し替えるように使用者が自ら誤接続を正すことができず、再度設置業者を呼んでくる必要がある。このような状況を鑑みると、上述した従来の技術では制御運転中に誤接続を判断するように構成されているので、実際に誤接続が判明するのは設置業者が立ち去ってしまってからになってしまい、やはり再度設置業者を呼んで来ざるを得ないことになってしまう。
【０００６】
そこで本発明では、直結配線で電源工事がなされる場合であっても、設置工事の際に異電圧電源への誤接続を把握することができ、設置工事後に再度設置業者を呼んで誤接続を直させるような事態を回避することができる浴室乾燥機を提供することを目的とする。
【課題を解決するための手段】
【０００７】
上記課題を解決するために本願請求項１に係る発明である浴室乾燥機は、モータを駆動することで浴室の暖房及び換気を行う浴室乾燥機であって、前記モータを制御する制御手段を備え、前記制御手段は、商用電源からの電力供給を検知する電力供給検知部と、前記浴室乾燥機の動作チェックを行う初期チェック実行部と、を有し、前記初期チェック実行部は、前記電力供給検知部が商用電源からの電力供給を検知したことに対応して、電源電圧異常判定を行うためのイニシャルチェックを実行し、当該イニシャルチェックの実行の結果、商用電源から供給される電圧と前記浴室乾燥機が対応する電圧とが不整合であると判断した場合には、電源電圧異常を報知するための警報を発することを特徴とする。
【０００８】
本発明では、商用電源から供給される電圧と浴室乾燥機が対応する電圧とが不整合であるか否かの判断をイニシャルチェックとして行い、それらが不整合であると判断した場合には電源電圧異常であるものとして報知するための警報を発することとしている。従って、浴室乾燥機を設置する設置業者が誤接続をしてしまっても、商用電源からの電力供給を検知したことに応じてイニシャルチェックを実行するので、浴室乾燥機を設置した段階、すなわち商用電源からの電力供給が検知された段階で自動的に誤接続であるか否かを知ることができる。結果として、誤接続のまま設置業者が立ち去るような事態を防止して、正常な電源への接続を確実なものとすることができる。
【０００９】
また、本願請求項２に係る浴室乾燥機では、前記電力供給検知部が、前記浴室乾燥機が商用電源に接続されたことによって、商用電源からの電力供給を検知し、前記初期チェック実行部は、前記電力供給検知部が商用電源からの電力供給を検知すると前記イニシャルチェックを実行することを特徴とする。
【００１０】
この態様では、電力供給検知部が商用電源からの電力供給がなされたことを、浴室乾燥機が商用電源に接続されたことによって検知しているので、設置業者が別途のスイッチを投入する等の追加的な作業をすることもなく、イニシャルチェックを実行することができる。従って、より確実に誤接続のまま設置業者が立ち去るような事態を防止して、正常な電源への接続を確実なものとすることができる。
【００１１】
また、本願請求項３に係る浴室乾燥機では、前記初期チェック実行部が、前記イニシャルチェックを実行することを報知し、前記イニシャルチェックを実行することを特徴とする。
【００１２】
この態様では、初期チェック実行部がイニシャルチェックを実行するにあたって、その実行を報知することで、自動的にイニシャルチェックを実行する本発明にあって使用者へ与える違和感を軽減することができる。
【００１３】
また、本願請求項４に係る浴室乾燥機では、前記制御手段が、前記モータに制御電圧を印加することで前記モータの回転を制御するものであって、前記制御手段は、前記モータに印加する最小制御電圧と最大制御電圧との間の中間制御電圧に対応する中間デューティ比と、該中間デューティ比に対応させて前記モータの所定の回転数を中間回転数として予め格納しており、前記初期チェック実行部は前記イニシャルチェックにおいて、前記中間デューティ比で前記モータを制御した場合の回転数が、前記中間回転数以下となった場合に電源電圧異常であると判断することを特徴とする。
【００１４】
浴室乾燥機が本来対応している電圧に応じた制御電圧を印加された場合に、その下限である最小制御電圧と上限である最大制御電圧とでは、最小制御電圧に対応したモータの回転数よりも最大制御電圧に対応したモータの回転数が高くなる。また、浴室乾燥機が本来対応している電圧よりも低い電圧や高い電圧に応じた制御電圧を印加された場合にも同様の傾向となり、それらの乖離傾向は対応する電圧が高くなるほど顕著なものとなる。従って、例えば２００Ｖ仕様の浴室乾燥機に対して、１００Ｖの商用電源から電力供給した場合と２００Ｖの商用電源から電力供給した場合とを比較した場合には、最小制御電圧に対応したモータの回転数差は小さく、最大制御電圧に対応したモータの回転数差は大きくなる。一方、浴室ではモータの回転状態に影響を与える因子が、浴室の温度、ファンへのシャンプー等の付着といったように多岐に渡っており、特定の電圧をモータに印加したとしても得られるモータの回転数にはバラツキがある。そこで、最大制御電圧に対応するデューティ比と回転数とでイニシャルチェックを行うことが、誤判断を避けるために有効であるが、最大制御電圧でモータを回転させると発生する動作音が大きく、自動的にイニシャルチェックを行う本発明においては使用者に違和感を与えることが想定される。そこで、最小制御電圧と最大制御電圧との間の中間制御電圧に対応する中間デューティ比によってモータを制御し、その中間デューティ比に対応するモータの中間回転数と実際の回転数を比較することで、判断精度の向上と騒音の低減という相乗的な効果を奏することができる。
【００１５】
また、本願請求項５に係る浴室乾燥機では、前記制御手段は、前記中間制御電圧と前記最大制御電圧との間の制御電圧で前記モータの回転を制御することで前記イニシャルチェックを実行することを特徴とする。
【００１６】
この態様では、中間制御電圧と最大制御電圧との間の制御電圧でモータの回転を制御してイニシャルチェックを実行しているので、より確実に誤判断を避けることができる。
【００１７】
また、本願請求項６に係る浴室乾燥機では、前記初期チェック実行部は、電源電圧異常との判定を行った後に商用電源からの電力供給が遮断された場合には、当該電源電圧異常との判定結果を解除し、当該解除の後に、商用電源からの電力供給が再開された場合には前記イニシャルチェックを再度実行することを特徴とする。
【００１８】
この態様によれば、上述した判定を行った後に商用電源からの電力供給が遮断された場合には、当該電源電圧異常との判定結果を解除して、イニシャルチェックを再度実行するので、最初のイニシャルチェック時に電源電圧異常と判断・報知され、商用電源への繋ぎ直し作業を行った場合にも、設置業者等が何等意識をしなくとも再度確実にイニシャルチェックを実行することができる。
【発明の効果】
【００１９】
本発明によれば、直結配線で電源工事がなされる場合であっても、設置工事の際にイニシャルチェックを実行することで異電圧電源への誤接続を把握することができ、設置工事後に再度設置業者を呼んで誤接続を直させるような事態を回避可能な浴室乾燥機を提供することができる。
【発明を実施するための最良の形態】
【００２０】
以下、添付図面を参照しながら本発明の好適な実施の形態について説明する。説明の理解を容易にするため、各図面において同一の構成要素に対しては可能な限り同一の符号を付して、重複する説明は省略する。
【００２１】
本発明の実施形態に係る浴室乾燥機は、浴室の空気を吸引しヒータを経由させて浴室方向に空気を噴出する循環モードと、浴室の空気を吸引し浴室外に排出する換気モードと、を備えると共に、浴室以外の第二室である洗面所等の換気も行うことができるものである。この浴室乾燥機の配置態様について図１を参照しながら説明する。図１に示すように、浴室乾燥機ＤＭは、浴室ＢＲの天井に取り付けられるものである。浴室乾燥機ＤＭは、浴室ＢＲの空気を吸引しヒータ（図１においては明示しない）を経由させて浴室ＢＲ方向に空気を噴出することができる。また、浴室乾燥機ＤＭは、浴室ＢＲ内の空気を吸引し、ダクトＤ１を通して浴室外に排出することもできる。また、浴室乾燥機ＤＭは、洗面所ＳＲの天井に設けられた吸引口ＳＲ１に繋がるダクトＳＲ２を通して、洗面所ＳＲ内の空気を吸引し、ダクトＤ１を通して浴室外に排出することもできる。
【００２２】
続いて、浴室乾燥機ＤＭの外観について、図２を参照しながら説明する。図２（ａ）は浴室乾燥機ＤＭの背面側斜視図であり、図２（ｂ）は浴室乾燥機ＤＭの正面側斜視図である。浴室乾燥機ＤＭは、正面側のカバー３０と、背面及び側面を覆う本体ケース１０とを備えている。
【００２３】
図２（ａ）に示すように、本体ケース１０の側面には、換気時に空気を排出するための換気口１２が設けられており、その反対側には第二室としての洗面所から空気を吸い込む浴室外吸引口１１が設けられている。さらに、本体ケース１０の背面の開口部には、本体ケース１０内部に収容されている送風機を回転させるための送風機モータＦＭが露出している。さらに、図２（ｂ）に示すように、カバー３０には、浴室内の空気を吸い込む浴室吸引口１３と、加熱した空気を吹き出す循環吹出口１４とが設けられている。
【００２４】
ここで、浴室乾燥機ＤＭの内部を説明するため、浴室外吸引口１１から換気口１２に沿った方向の断面図を図３に示す。図３に示すように、本体ケース１０内には、浴室吸引口１３から順に、隔壁部材２０と、送風機１５と、ダンパ１６と、が配置されている。送風機１５は、送風機モータＦＭの回転に応じて回転し、吸引口１５１から空気を吸い込んで、吹出口１５２から空気を噴出するように構成されている。
【００２５】
送風機１５の吹出口の先には、ダンパ１６が配置されている。ダンパ１６は、回転式のロータリーダンパであって、送風機１５の吹出口１５２から噴出された空気を、換気風路１０１及び循環風路１０２のいずれか若しくは双方に方向付けて送り出す役割を果たしている。
【００２６】
図３に示すように、換気風路１０１は、送風機１５の吹出口１５２と換気口１２とを連通し、循環風路１０２は、送風機１５の吹出口１５２と循環吹出口１４とを連通している。従って、換気風路１０１及び循環風路１０２からなる送風通路は、それぞれに空気を分岐する二股分岐部を形成しており、その二股分岐部に相当する位置にダンパ１６が配置されている。
【００２７】
循環風路１０２の先に繋がる循環吹出口１４には、ヒータケース１７に収容されたヒータ１８が配置されている。ヒータ１８よりも下流側にはルーバー１９が配置されている。
【００２８】
上述したように、ダンパ１６によって、送風機１５の吹出口１５２から噴出された空気は、各風路に振り分けられている。ダンパ１６の位置と、換気モード、循環モード、及び衣類乾燥モードの各モードとの対応関係について、図４〜図７を参照しながら説明する。図４は、浴室乾燥機ＤＭの浴室外吸引口１１から換気口１２に沿った方向の断面図を概略的に示す図である。図５は、換気モードにおけるダンパ１６の位置を示す図である。図６は、循環モードにおけるダンパ１６の位置を示す図である。図７は、衣類乾燥モードにおけるダンパ１６の位置を示す図である。
【００２９】
図４に示すように、ダンパ１６は、循環風路１０２を完全に塞ぐ第一位置１６ａから換気風路１０１を完全に塞ぐ第二位置１６ｂ、更には換気風路１０１の下方を部分的に開放し上方を塞ぐ第三位置１６ｃまで回転するように構成されている。図５に示すように、ダンパ１６が第一位置１６ａに位置している場合には、循環風路１０２をダンパ１６によって完全に塞ぐようになっており、送風機１５の吹出口１５２から吹き出された空気は全て換気風路１０１へと流れ、換気口１２から排出される。従って、この場合のモードは、浴室ＢＲ内の空気を換気する換気モードとなる。
【００３０】
図６に示すように、ダンパ１６が第二位置１６ｂに位置している場合には、換気風路１０１をダンパ１６によって完全に塞ぐようになっており、送風機１５の吹出口１５２から吹き出された空気は全て循環風路１０２へと流れ、循環吹出口１４から浴室ＢＲ内へと循環される。従って、この場合のモードは、浴室ＢＲ内の空気を循環する循環モードとなる。
【００３１】
図７に示すように、ダンパ１６が第三位置１６ｃに位置している場合には、換気風路１０１の上方を塞いで浴室ＢＲ側の下方を開放するようになっており、送風機１５の吹出口１５２から吹き出された空気は一部が換気風路１０１へと流れ、残部が循環風路１０２へと流れる。従って、送風機１５から吹き出された空気の一部が換気口１２から排出され、残部が循環吹出口１４から浴室ＢＲ内へと循環される。従って、この場合のモードは、浴室ＢＲ内の空気の一部を循環しつつ換気も行う衣類乾燥モードとなる。
【００３２】
上述したようなダンパ１６の位置制御や、送風機１５の送風制御、ヒータ１８への通電等を制御する制御部ＣＵ（本発明の制御手段に対応し、電力供給検知部及び初期チェック実行部として機能する）は、本体ケース１０に取り付けられている。この制御部ＣＵを含む制御系について、図８を参照しながら説明する。図８は、本発明の実施の形態にかかる浴室乾燥機ＤＭの制御ブロック図である。
【００３３】
制御部ＣＵは、演算処理を行うＣＰＵ２１や、情報を記憶するメモリ２２を備えている。使用者の操作により、リモコン４００は制御部ＣＵに操作信号を送信する。制御部ＣＵは、受信したその操作信号に基づいて、送風機モータＦＭを駆動させて送風機１５を回転駆動させたり、ダンパモータＭ１を駆動させてダンパ１６の停止位置を変更したり、ヒータ１８を駆動させたりすることができる。ＣＰＵ２１は、メモリ２２に記憶された情報を適宜参照し、その情報に基づいた処理を行うほか、メモリ２２に新たな情報を記憶させることができる。
【００３４】
図９は、本発明の実施の形態にかかる浴室乾燥機ＤＭのリモコン４００の外観図である。リモコン４００は、使用者が浴室乾燥機ＤＭを操作するためのユーザインタフェースである。リモコン４００のパネル４１０には、浴室乾燥機ＤＭが実行できる複数の運転モードのそれぞれに対応した運転モードスイッチが設けられている。具体的には、換気モードスイッチ４２０、暖房モードスイッチ４３０、衣類乾燥モードスイッチ４４０の３つの運転モードスイッチが設けられており、使用者は浴室乾燥機ＤＭに実行させたい運転モードに対応した運転モードスイッチを投入する。
【００３５】
また、パネル４１０には液晶表示部４５０が設けられており、運転時間や、循環吹出口１４から吹き出す空気の温度、運転開始時刻、運転終了時刻など、浴室乾燥機ＤＭの運転の設定に関する諸情報が表示される。更に、液晶表示部４５０には、異常の発生等の運転上の諸情報も表示される。また、パネル４１０にはスピーカ４９０が設けられており、異常発生時に鳴動して報知音を発する。使用者は、指示スイッチ４６０ａ、４６０ｂを用いて液晶表示部４５０に表示されるカーソルを移動させ、さらに確定スイッチ４７０を投入するなどして、各設定を適宜変更することができる。この他、パネル４１０には浴室乾燥機ＤＭの運転を終了させるときに投入する終了スイッチ４８０が設けられている。
【００３６】
本実施形態の場合、送風機モータＦＭ、ダンパモータＭ１、ヒータ１８に供給する電力は、電源回路Ｓ１から制御部ＣＵを介して供給される。電源回路Ｓ１は、この浴室乾燥機ＤＭが設置される家屋に設けられている商用電源ＰＳに直結されており、商用電源ＰＳから電力が供給される。本実施形態の浴室乾燥機ＤＭは、自らが対応する電源電圧と異なる電圧の商用電源に接続されていないかを、イニシャルチェックとして制御部ＣＵによって自動的に判断する機能を備えている。その判断フローについて図１０を参照しながら説明する。図１０の説明においては、フラグＦが「０」の場合にはエラーコードが出力されていないことを示し、フラグＦが「１」の場合にはエラーコードが出力されていることを示す。
【００３７】
フラグＦが「１」となっているか、すなわち、エラーコードが出力されているか判断する（ステップＳ０１）。フラグＦが「１」となっていればステップＳ１１の処理に進み、フラグＦが「１」となっていなければステップＳ０２の処理に進む。
【００３８】
ステップＳ０１において、フラグＦが「１」となっていなければ、商用電源ＰＳから電力供給されているか否かを判断する（ステップＳ０２）。この判断は、商用電源ＰＳと電源回路Ｓ１とが接続され、商用電源ＰＳから供給される電力が制御部ＣＵまで受け渡されている場合に、商用電源ＰＳから電力供給がなされていると判断している。このような判断手法によれば、設置業者が主電源スイッチ（図示せず）の投入を忘れた場合であっても、イニシャルチェックの実行が可能となる。もっとも、商用電源ＰＳと電源回路Ｓ１とが接続され、更に浴室乾燥機ＤＭの主電源スイッチ（図示せず）が投入された場合に、商用電源ＰＳから電力供給がなされていると判断することも好ましい態様である。このステップＳ０２の判断の結果、商用電源ＰＳから電力供給がなされていると判断されれば、ステップＳ０３の処理に進み、商用電源ＰＳから電力供給がなされていないと判断されれば、ステップＳ０１に戻る。
【００３９】
ステップＳ０２において、商用電源ＰＳから電力供給がなされていると検知した場合には、制御部ＣＵはイニシャルチェックを実行する。そのため、最初にイニシャルチェックの実行を報知する（ステップＳ０３）。具体的には、図９に示す液晶表示部４５０に「イニシャルチェック中」といった情報が表示され、スピーカ４９０からは「イニシャルチェックの実行中です」といった音声が発せられる。
【００４０】
ステップＳ０３の報知の後に、制御部ＣＵは送風機モータＦＭに４Ｖの制御電圧を印加する（ステップＳ０４）。図１１に示すように、この４Ｖの制御電圧は、送風機モータＦＭに印加する最小制御電圧（３Ｖ）と最大制御電圧（５Ｖ）との間の中間制御電圧として設定されているものである。制御部ＣＵは、図１１に示すような、制御電圧に対応するデューティ比と、そのデューティ比に対応させて送風機モータＦＭの回転数を格納している。図１１では、対応する電圧が２００Ｖの機器構成の浴室乾燥機ＤＭに、商用電源電圧２００Ｖの場合の下限電圧１８０Ｖを印加した場合の制御電圧−回転数曲線を「ＡＣ１８０Ｖ」とし、対応する電圧が２００Ｖの機器構成の浴室乾燥機ＤＭに、商用電源電圧１００Ｖの場合の上限電圧１１０Ｖを印加した場合の制御電圧−回転数曲線を「ＡＣ１１０Ｖ」として示している。本実施形態の場合は、最小制御電圧値と最大制御電圧値との中間値となるように中間制御電圧を設定しているけれども、中間値よりも最大制御電圧値に近い値を中間制御電圧として設定することも好ましい。
【００４１】
ステップＳ０４において制御部ＣＵが送風機モータＦＭに制御電圧を印加すると、その経過時間が２０秒を過ぎたか否かを判断する（ステップＳ０５）。制御部ＣＵが送風機モータＦＭに制御電圧を印加して２０秒経過の後、送風機モータＦＭの回転数を計測する（ステップＳ０６）。
【００４２】
ステップＳ０６において計測した送風機モータＦＭの回転数が、予め格納されている中間回転数（本実施形態の場合、９９０ｒｐｍ）以下となっている時間が１０秒継続しているか判断する（ステップＳ０７）。図１１に示すように、９９０ｒｐｍの中間回転数は、中間制御電圧に対応して予め定められている閾値である。商用電源電圧が１００Ｖ（浴室乾燥機ＤＭへの印加電圧１１０Ｖ）である場合には、送風機モータＦＭに中間制御電圧を印加すると、標準的な回転数は約８００ｒｐｍである。また、商用電源電圧が２００Ｖ（浴室乾燥機ＤＭへの印加電圧１８０Ｖ）である場合に、送風機モータＦＭに中間制御電圧を印加すると、標準的な回転数は約１２００ｒｐｍである。中間回転数を９９０ｒｐｍとしたのは、これらの値の略中間の値であるためである。このように設定することで、例えば商用電源電圧が２００Ｖの端子に正規に接続した場合には、商用電源電圧が変動しても送風機モータＦＭの回転数は１２００ｒｐｍよりも大きくは下回らないので、送風機モータＦＭの回転数が９９０ｒｐｍ以下となれば、接続されている商用電源電圧が１００Ｖであると判断できる。
【００４３】
本実施形態において中間制御電圧を最小制御電圧と最大制御電圧との中間に設定しているのは、最小制御電圧においては、商用電源電圧が１００Ｖの場合と２００Ｖとの場合とで得られる送風機モータＦＭの回転数が近接しており、誤判定の恐れがあるためである。また、最大制御電圧においては、商用電源電圧が１００Ｖの場合と２００Ｖとの場合とで得られる送風機モータＦＭの回転数が離隔しているものの、送風機１５から吹き出される風量が多く騒音が大きくなり、使用者に不快感を与えるためである。
【００４４】
ステップＳ０７の判断の結果、送風機モータＦＭの回転数が中間回転数以下となる時間が１０秒以上継続していれば、異電圧電源に接続され、浴室乾燥機ＤＭが対応する電圧と商用電源ＰＳから供給される電圧が不整合な状態となっているものと判断し、フラグＦを「１」としてメモリ２２に格納する（ステップＳ０８）。ステップＳ０８の処理の後、ステップＳ０１の処理に戻る。
【００４５】
ステップＳ０１の判断の結果、フラグＦが「１」となっていれば、異常報知処理を実行する（ステップＳ１１）。異常報知は、液晶表示部４５０（図９参照）に異常である旨を表示したり、スピーカ４９０（図９参照）から異常である旨の音声を発したりすることで実行される。
【００４６】
ステップＳ１１において異常報知を行った後、商用電源ＰＳと浴室乾燥機ＤＭとの接続が解除されているか判断する（ステップＳ１２）。商用電源ＰＳと浴室乾燥機ＤＭとの接続が解除されていなければ、ステップＳ０１に戻る。商用電源ＰＳと浴室乾燥機ＤＭとの接続が解除されていれば、フラグＦが「１」となっているメモリ２２の該当部分を消去し、フラグＦを「０」として格納する（ステップＳ１３）。フラグＦの書き換えの後、ステップＳ０１の処理に戻る。
【図面の簡単な説明】
【００４７】
【図１】本実施形態の浴室乾燥機の配置態様を説明するための図である。
【図２】本実施形態の浴室乾燥機の外観を説明するための図である。
【図３】浴室乾燥機の内部を説明するための図である。
【図４】浴室乾燥機内部のダンパの動作を説明するための図である。
【図５】浴室乾燥機内部のダンパの動作を説明するための図である。
【図６】浴室乾燥機内部のダンパの動作を説明するための図である。
【図７】浴室乾燥機内部のダンパの動作を説明するための図である。
【図８】浴室乾燥機の制御的な構成を説明するための図である。
【図９】図８に示すリモコンを説明するための図である。
【図１０】浴室乾燥機の電源異常判定フローチャートである。
【図１１】図１０に示す電源異常判定に用いられる制御電圧−回転数曲線である。
【符号の説明】
【００４８】
１０：本体ケース
１１：浴室外吸引口
１２：換気口
１３：浴室吸引口
１４：循環吹出口
１５：送風機
１６：ダンパ
１６ａ：第一位置
１６ｂ：第二位置
１６ｃ：第三位置
１７：ヒータケース
１８：ヒータ
１９：ルーバー
２０：隔壁部材
２２：メモリ
３０：カバー
１０１：換気風路
１０２：循環風路
１５１：吸引口
１５２：吹出口
４００：リモコン
４１０：パネル
４２０：換気モードスイッチ
４３０：暖房モードスイッチ
４４０：衣類乾燥モードスイッチ
４５０：液晶表示部
４６０ａ：指示スイッチ
４７０：確定スイッチ
４８０：終了スイッチ
４９０：スピーカ
ＢＲ：浴室
ＣＵ：制御部
Ｄ１：ダクト
ＤＭ：浴室乾燥機
ＦＭ：送風機モータ
Ｍ１：ダンパモータ
ＰＳ：商用電源
Ｓ１：電源回路
ＳＲ：洗面所
ＳＲ１：吸引口
ＳＲ２：ダクト
【図１】
2010101586.tif 000003
【図２】
2010101586.tif 000004
【図３】
2010101586.tif 000005
【図４】
2010101586.tif 000006
【図５】
2010101586.tif 000007
【図６】
2010101586.tif 000008
【図７】
2010101586.tif 000009
【図８】
2010101586.tif 000010
【図９】
2010101586.tif 000011
【図１０】
2010101586.tif 000012
【図１１】
2010101586.tif 000013